Podtech/llm-jp-corpus-v4-ja_patent huggingface dataset:
(57)【要約】【課題】遺伝子組み換えでない日本の技術を使用したアントシアニン向上技術【解決手段】本発明は、植物や農産物に遺伝子組み換えでない日本の独自技術を導入することによりアントシアニンを向上させる技術を特徴とする。その技術として、遺伝子組み換えではないアミノ酸やペプチドを含有する液体・粉末・健康補助食品・サプリメント・飲食物・医薬品・医薬部外品・肥料・液体肥料・堆肥などを植物・農産物の栽培・生育・育成・生産時に用いることを特徴とする。【特許請求の範囲】
【請求項１】
遺伝子組み換えでないアントシアニン向上方法であって、以下のものを植物・農業産物の栽培技術・生育技術・生産技術・育種時に使用することを特徴とする向上方法であって、以下のいずれかに示す栽培技術を含むものを特徴とする上記向上方法。
【請求項２】
栽培技術とは、葉面散布、潅水、噴霧、加湿器、などの用具を使用する方法の他、促成栽培、原木栽培、早期栽培、不耕起栽培、有機農法（有機栽培）、無農薬栽培、養液栽培、有機養液栽培、抑制栽培、菌床栽培、マルチ栽培、トロ箱栽培、ブドウ栽培、草生栽培、工場栽培、炭素循環農法、その他の土耕栽培農法、水耕栽培方法も含む。これらを組み合わせる方法、独自の方法も含む
【請求項３】
請求項１で使用するものは、アミノ酸を主とする成分を含有し、もしくはペプチドも含有する溶液及び粉末、肥料及び堆肥、飲食品、医薬品、医薬部外品、健康補助食品、栄養補助食品、サプリメントとすることを特徴とする向上方法
【発明の詳細な説明】
【技術分野】
【０００１】  本発明は、植物や農産物に遺伝子組み換えでない日本の独自技術を導入することによりアントシアニンを向上させる技術を特徴とする。その技術として、遺伝子組み換えではないアミノ酸やペプチドを含有する液体・粉末・健康補助食品・サプリメント・飲食物・医薬品・医薬部外品・肥料・液体肥料・堆肥などを植物・農産物の栽培・生育・育成・生産時に用いることを特徴とする。
【発明の概要】
【発明が解決しようとする課題】
【０００１】  今までのアントシアニンの向上方法は、飲食品・健康食品・その他に原料若しくは使用する際濃縮工程を用いることなどで、収穫後に工程を加えることが必要であった。
【課題を解決するための手段】
【０００１】  植物・農産物の栽培・生産・育成・生産時に、遺伝子組み換えでない方法であることが特徴であり、アミノ酸を主とする液体や粉末などの飲食物や肥料等を用いることで、アントシアニンを向上させることを特徴とする。
【発明の効果】
【０００１】  植物・農産物を収穫したまま、高アントシアニンのものが収穫でき、そのまま濃縮などの手を加えることもなく、そのまま使用できることを特徴とする。
【産業上の利用可能性】
【０００１】  遺伝子組み換えでないアントシアニン向上技術を使用することで、植物・農産物などを収穫した後、そのまま濃縮などの工程をすることなく使用することができる。また、自然のものとしてアントシアニンが向上しているので、希釈したりするだけで、飲食品、医薬品、サプリメント、栄養補助食品、機能性食品、栄養機能性食品などに原料または、そのまま固形状などにして利用をすることができることを特徴とする。
(57)【要約】      （修正有）【課題】釣り竿の感度をブランクスの性能に求めていたものを、ガイドの配置の方法でさらに向上させる釣竿の提供。【解決手段】釣り竿のガイドは、一直線にきれいに配置することが良いとされてきたのを、ガイドの配置を互い違いに、ラインを通した時にスラロームを描くように取り付ける。釣り糸とガイドリングの接点を強くし、釣り糸をホールドさせる。ジグザグガイドシステムは、釣りを行っているときに、発生する魚のアタリや底の状態の振動（これを竿の感度という）が飛躍的に向上する。スピニングロッド、ベイトキャスティングロッド、スパイラルガイドシステムなどすべてのガイド付きの竿の先端部にジグザグにガイドを配置すると、同じブランクス、同じグリップ、同じガイドの竿でも飛躍的に感度が向上する。【選択図】図１
2020162417.tif 000002
【特許請求の範囲】
【請求項１】
釣り竿
【発明の詳細な説明】
【技術分野】
【０００１】
特にありません
【先行技術文献】
【非特許文献】
【０００２】
【非特許文献１】富士工業カタログ２０１８
【発明の概要】
【発明が解決しようとする課題】
【０００３】
釣り竿の感度をブランクスの性能に求めていたものを、ガイドの配置の方法でさらに向上させる。
【課題を解決するための手段】
【０００４】
釣り竿のガイドは、一直線にきれいに配置することが良いとされてきたのを、ガイドの配置を図１から図4のように互い違いにし、ラインを通した時にスラロームを描くように取り付ける。
スピニングロッド、ベイトキャスティングロッド、スパイラルガイドシステムに有効。
【発明の効果】
【０００５】
釣りを行っているときに、発生する魚のアタリや底の状態の振動（これを竿の感度という）が向上する。
スピニングロッド、ベイトキャスティングロッド、スパイラルガイドシステムのロッドの先端部にジグザグにガイドを配置すると、同じブランクス、同じグリップ、同じガイドの竿でも感度が向上する。
実験データ図５参照
【図面の簡単な説明】
【０００６】
【図１】図1はジグザグガイドシステムの竿の上方からの図です。
【図２】図2はジグザグガイドシステムの竿の下方からの図です。
【図３】図３はジグザグガイドシステムの竿の正面からの図です。
【図４】図４はジグザグガイドシステムの竿の背面からの図です。
【図５】図5は、スピニングロッドとベイトロッドでそれぞれ同じ条件で製作し、ガイドシステムだけを、普通のまっすぐなガイドシステムとジグザグガイドシステムに変えて、RION社製  振動計測器  VM-54 で計測したデータです。
【発明を実施するための形態】
【０００７】
竿のガイドを取り付けるときに、左右に交互にスラロームを描くように取り付ける、釣り糸との接点を強くし、釣り糸をホールドさせる。図1から図４参照
【実施例】
【０００８】
スピニングロッド、ベイトキャスティングロッド、スパイラルガイドシステムのロッドの先端部にジグザグにガイドを配置すると、同じブランクス、同じグリップ、同じガイドでも飛躍的に感度が向上する。
【産業上の利用可能性】
【０００９】
ガイド付き釣り竿は、ブランクスにグリップとガイドを付けるということでできていますが、近年技術の発展とともに、各社釣り竿の性能が拮抗している中、同じ材料を使用して製作しても、このジグザグガイドシステムを採用することで性能を向上させることができる。
【図１】
2020162417.tif 000003
【図２】
2020162417.tif 000004
【図３】
2020162417.tif 000005
【図４】
2020162417.tif 000006
【図５】
2020162417.tif 000007
(57)【要約】【課題】釣りをする時、浮子は、大切なアイテムの1つである。だが、自然相手であり、自然条件に左右されやすく、本来持っている機能を発揮できない事が多い。既存の浮子にはそれぞれ欠点があり、単体ではそれを克服できなかった。本発明は、既存の浮子のそれぞれの特性を踏まえ、欠点を克服した浮子を作成したことにより、かつてなかった利便性を提供できる。【解決手段】環付き浮子をよりもどしと中通し錘を通した高耐性糸で接続する。環付き浮子の状態により、中通し錘が移動することにより、浮子全体を最適な状態に維持する。【選択図】図４
2020162495.tif 000002
【特許請求の範囲】
【請求項１】
環付き浮子（１）によりもどし（２）を付け、中通し錘（５）を通した高耐性糸（４）の両端によりもどし（２）とスナップ付きよりもどし（６）を接続する。接続部分を収縮チューブゴム（３）で補強する。
以上の構成によりなるオモリ移動式浮子。
【発明の詳細な説明】
【技術分野】
【０００１】
本発明は、環付き浮子をよりもどしとスナップ付きよりもどしを、中通しオモリを通した糸で接続し、オモリを移動させることにより、浮子の機能を高度化し、性能を向上させたものである。
【背景技術】
【０００２】
現在、釣り用浮子は、「中通し浮子、棒ウキ、環付き浮子」の３種類に大別されており、それぞれの用途により、使い分けられている。
【発明の概要】
【発明が解決しようとする課題】
【０００３】
従来の浮子には、次の弱点があった。
（イ）中通し浮子は、風と波に弱く、中に通した糸が抵抗をうけ、仕掛けが引っ張られる。
（ロ）棒ウキは、投入時に糸が絡まり易く、風波に弱い。
（ハ）一般の環付き浮子は、付属の環に直接糸を通して使用するので、仕掛けが浮子の抵抗を受け易く、魚の食い込みが悪くなる。
（ニ）棒ウキは、長いものが多く携行に不便である。
本発明は、以上の問題を解決するために発明されたものである。
【課題を解決するための手段】
【０００４】
環付き浮子（１）によりもどし（６）を付け、中通し錘（５）を通した高耐性糸（４）の両端によりもどし（２）とスナップ付きよりもどし（６）を接続する。接続部分を収縮チューブゴム（３）で補強する。
以上の構成によりなるオモリ移動式浮子。
【発明の効果】
【０００５】
本発明を使用することによって、仕掛けを投入する時、錘のスライドによって、錘の重量が浮子の重量に加わり、飛距離が伸び、より遠投しやすくなる。着水後、錘のスライドによって、錘がアンカーの役目を果たし、強制的に道糸を水中に引っ張り瞬時に入れ込む。これにより、短時間で道糸を水中水になじませることができる。
また本発明は、高耐性の糸を使用しているので、コンパクトに収納でき、かさばらない。
【図面の簡単な説明】
【０００６】
【図１】本発明の浮子の斜視図
【図２】本発明の浮子の使用状態を示す斜視図（投入時）
【図３】本発明の浮子を平面に置いた状態を示す斜視図
【図４】本発明の浮子の海中での使用状態を示す斜視図
【発明を実施するための形態】
【０００７】
以下、本発明の実施の形態を説明する。
（イ）環付き浮子（１）によりもどし（２）を付け、そこに中通し錘（５）を通した高耐性糸（４）の先端を接続する。もう一方の高耐性糸（４）の先端とスナップ付きよりもどし（６）の先端を接続する。2ヵ所の接続部分を収縮チューブゴムで覆い補強する。
（ロ）使用時には、浮子の状態により、中通し錘がそれぞれ移動する。
本発明は、以上の構成によりなる。
本発明を使用する場合は、道糸を通した環付き浮子用サルカン（８）に本浮子を接続し、投入時には、中通し錘（５）が浮子側のよりもどし（２）までスライドし、重量が環付き浮子側に加重し、飛距離が向上する。着水後は、環付き浮子（１）が水面に浮き中通し錘（５）がスナップ付きよりもどし（６）側に移動し、道糸を水中に強制的に沈めて、アンカーの役目をする。そのため道糸（７）を水に早くなじませることができる。よりもどし（２）とスナップ付きよりもどし（６）を使用することで、浮子自体で海上の波や風の衝撃を吸収し、道糸を干渉させない。
また、よりもどし（２）プラス、スナップ付きよりもどし（６）プラス、高耐性糸の長さ分、水中に道糸（７）を引き入れ道糸（７）の浮力を抑え、水中で道糸（７）を斜めに張らせるため、その先端にあるハリスも斜めに張らせるため、仕掛けの角度をキープし易くなる。
携行する時は、環付き浮子の容量とほとんど変わらない容量となるので、コンパクトに収納でき、複数の携行が容易にできる。
【符号の説明】
【０００８】
1  環付き浮子
２  よりもどし
３  収縮チューブゴム
４  高耐性糸
５  中通し錘
６  スナップ付きよりもどし
７  道糸
８  環付き浮子用サルカン
【図１】
2020162495.tif 000003
【図２】
2020162495.tif 000004
【図３】
2020162495.tif 000005
【図４】
2020162495.tif 000006
(57)【要約】【課題】  洗濯時にバラバラにならないように、左右を１対にまとめるためのスナップを付けた靴下を提供する。【解決手段】  左右靴下内側の向かい合う位置に凸面が表面に出るようにスナップを直接取り付け、洗濯時にスナップをとめて左右１対にまとめると、洗濯、干す、たたむ際に靴下がバラバラにならず仕分けが容易になることを特徴とする左右１対をまとめるスナップ付き靴下。  他の実施例として、靴下内側に加えて外側にも同様にスナップを取り付けた場合は、左右関係なくスナップがとめやすくなるだけでなく、履く際にワンポイントとなる専用のチャームを（内）外側スナップに装着しオリジナルデザインにアレンジできることを特徴とする左右１対をまとめるスナップ付き靴下。【選択図】図１
2020007689.tif 000002
【特許請求の範囲】
【請求項１】
片側の靴下の内側に凸面が表面に出るようにスナップを直接取り付け、反対側の靴下の内側向かい合う位置に同様に対応するスナップを直接取り付けることを特徴とする左右１対をまとめるスナップ付き靴下。
【請求項２】
靴下の内側に加えて外側にも凸面が表面に出るようにスナップを直接取り付け、履く際には校章などワンポイントとなる専用のチャームを靴下（内）外側のスナップの凸面に合うように装着することを特徴とする左右１対をまとめるスナップ付き靴下。
【発明の詳細な説明】
【技術分野】
【０００１】  本発明は、洗濯時にバラバラにならないように、左右を１対にまとめるためのスナップを付けた靴下に関するものである。
【背景技術】
【０００２】  従来、靴下は洗濯時に左右がバラバラになり仕分けが面倒であった。
これまで、スナップを付けた別布を靴下に縫い付けたもの（特許文献１参照）や、洗濯クリップ（特許文献２、３参照）によって、洗濯時に靴下を左右１対にまとめる方法があった。
【先行技術文献】
【特許文献】
【０００３】
【特許文献１】特開２０１２−１０２４４７号公報
【特許文献２】特開２０１２−１６１５８５号公報
【特許文献３】実用新案登録３１９１６０３号公報
【発明の概要】
【発明が解決しようとする課題】
【０００４】  そのために次のような問題点があった。
（イ）靴下は洗濯時に左右がバラバラになると１対を見分けるのが難しく、仕分けに時間      がかかった。
特に同色で似たタイプの単色無地靴下を同時に何足も洗濯する場合、正確に１対を      識別するのは大変困難で面倒な作業であった。
（ロ）スナップを付けた別布を靴下に縫い付けたものは、洗濯の際に別布を外側に出して      スナップをとめることでバラバラになるのを防ぐものであるが、履く際にはその別      布を内側に入れるため厚みが出て違和感があった。
（ハ）洗濯時にクリップで靴下の左右を組み合わせる方法は、クリップの保管場所で靴下      を脱ぎその場でまとめなければ意味がなく、またクリップの管理も面倒であった。
本発明は以上の問題点を解決するためのものである。
【課題を解決するための手段】
【０００５】  片側の靴下の内側に凸面が表面に出るようにスナップを直接取り付ける。
反対側の靴下の内側向かい合う位置に同様に対応するスナップを直接取り付ける。
他の実施例として、靴下の内側に加えて外側にも凸面が表面に出るようにスナップを直接取り付け、履く際には校章などワンポイントとなる専用のチャームを靴下（内）外側のスナップの凸面に合うように装着する。
以上を特徴とする左右１対をまとめるスナップ付き靴下である。
【発明の効果】
【０００６】（イ）スナップをとめて左右１対にまとめることで、洗濯時にバラバラにならずに、その      まま干す、そのままたたむことが可能となる。
また、靴下の裏面にあるスナップの平らな面に名前や目印を付ければ、所有者の識      別も容易になる。
（ロ）スナップの平らな面が足に触れる裏側になるため、違和感もない。
（ハ）どこで靴下を脱いだとしても、その場でスナップをとめさえすれば靴下はバラバラ      にならず、洗濯時の手間は大幅に減る。
靴下をまとめるためのクリップなど洗濯用付属器具の管理が不要である。
【図面の簡単な説明】
【０００７】
【図１】  本発明の内側から見た斜視図である。
【図２】  本発明のスナップ部分の拡大断面図である。
【図３】  本発明の他の実施例として内外側にスナップを設けた正面図である。
【図４】  本発明の他の実施例として使用する専用チャームの裏面図である。
【発明を実施するための形態】
【０００８】  以下、本発明の実施の形態について説明する。
（イ）片側の靴下の内側中央で履き口側から約５ｃｍの部分にスナップａ（２ａ）を凸面      が表面に出るように専用の器具で取り付ける。
（ロ）反対側内側の向かい合う位置に対応するスナップｂ（２ｂ）を同様に取り付ける。
（ハ）左右スナップをとめると、１対の靴下にまとめることができる。
本発明は以上のような構成である。
本発明を使用するときは、靴下を脱いだときにその場でスナップをとめることを原則とする（本発明の使用感を調査したアンケートでは、この点について習慣化すれば問題ない、むしろ子どもの頃から習慣化できたら素晴らしいという意見が多かった）。
スナップで左右１対にまとめた靴下はそのまま洗濯をする。
干す際にはスナップをとめたまま左右重ねて洗濯はさみで吊すことも、またはスナップをとめたまま片側ずつ別の洗濯はさみで吊すことも可能である。
また、洗濯乾燥機で乾燥まで行っても靴下はバラバラにならずに左右１対で取り出すことができる。
たたむ際はスナップをとめたままでも良いし、外しても良い。
履き口の外側を使って靴下全体を包むように折り返してたたむ場合は、スナップの平らな面（３）が表に出て見えるので、そこに名前や目印をつけておくと、所有者の識別が容易になる。
履く際は、スナップの凸面が靴下内側表面に見えることになるが、靴下と同色のスナップにすれば、実際はほとんど目立たない。
他の実施例として、靴下の内側に加えて外側にもスナップを装着した場合は、靴下の左右関係なくスナップがとめられるので１対にまとめやすくなるだけでなく、履く際には、校章などワンポイントとなる専用のチャームを靴下（内）外側のスナップの凸面に合うように装着することでオリジナルデザインの靴下になる。
【符号の説明】
【０００９】    １    靴下
２ａ  スナップａ
２ｂ  スナップｂ
３    スナップの平らな面
【図１】
2020007689.tif 000003
【図２】
2020007689.tif 000004
【図３】
2020007689.tif 000005
【図４】
2020007689.tif 000006
(57)【要約】      （修正有）【課題】海苔を巻いた米飯食品（おにぎり）に直接手を触れる事なく食せる安全で衛生的な包装方法を提供する。【解決手段】ポリ袋を利用した内装フィルムシートの中に海苔を入れ、その外に握った「おにぎり」を中心に置き包み込む。［図１］［図２］印刷や型抜きした外装フィルムシート上に、上記内装フィルムシートに包まれた「おにぎり」を置き包み込む。［図３］［図４］外装フィルムシートの隙間から出ている内装フィルムのツマミを引き抜くと内装フィルムが抜けて海苔とおにぎりが合体する。斜辺上の開封テープをとれば海苔のついた「おにぎり」が顔を出し手で触れる事無く食せます。【選択図】図４
2020007039.tif 000002
【特許請求の範囲】
【請求項１】
簡易包装された正三角形状の米飯食品（以下「おにぎり」と言う）の斜辺２辺上に、外装フィルム開封テープを設ける事で食品に直接素手で触れる事無く、衛生的に食せる包装方法。
【請求項２】
印刷と型抜きされたフィルムシートで図示し、家庭でも簡単に作る事が出来る［請求項１］の包装方法。
【発明の詳細な説明】
【技術分野】
【０００１】本発明は衛生的なおにぎりの包装に関する物である。
【背景技術】
【０００２】従来のおにぎりの包装は、海苔のパリパリ感を保つ為、包装フィルムが二重になっているが外装フィルムを外す時は半分ずつ外すのでどうしても海苔の表面に触れてしまう。【０００３】被災地や工事現場等、水事情の悪い所もあり、不衛生である。
災害の多い昨今。被災者の方々にはせめて食事だけでも安心・安全であって欲しい。【０００４】又、子供たちが汚れた手で触って食中毒の危険がある。
【先行技術文献】
【０００５】コンビニエンスストアのおにぎりの包装は良く考えられており。二重フィルムの内装フィルムの構造はそのまま利用出来るが、外装フィルムを外す時にはおにぎり本体に触らなければ取り外せないので、衛生的だと言い切れない。（購入者の衛生管理に委ねられている。）
（特開−２００６−２６４７５８）
（特開−２００６−２８８３７８）
（特開−２０１６−１０４６４５）
【０００６】コンビニエンスストアで購入すれば手拭き用に小さい「おしぼり」が付いて来るがＣＯＳＴも掛かる。
【発明の概要】
【発明が解決しようする課題】
【０００７】本発明は外装フィルムの開封テープの位置を考案する事によって［０００２］［０００３］［０００４］［０００５］の不安を解消している。
【０００８】上記おにぎり包装は開封テープを外せば食品に触れること無く食せる。
【０００９】上記おにぎり包装は、バナナの皮をむくように広がる。
【００１０】上記おにぎりの包装は直接手が触れることが無いので、「おしぼり」等も不要であり、その分安価で提供できる。
【００１１】上記包装方法は疑似形状のお菓子や保存食にも適用出来る。
【課題を解決するための手段】
【００１２】内装フィルムシートは海苔と米飯とを分けるシートが必要。これは既製の物を使用しても良いが安価にする為、家庭に有るポリ袋又はスーパーの食品用ポリ袋（レジ横に無料でおいてある）を使用して［図１］（ア）のように切断する。
【００１３】互いの切断面から２０ｍｍ．程の位置で片方は裏折り、もう片方は表折りとし、嵌合させる。［図１］（イ）  ［図２］（ウ）
【００１４】袋の中に海苔を入れる［図１］（イ）  ［図２］（ウ）
【００１５】フィルムシートの中心に「おにぎり」を置いて包み込めば内装フィルムは完成。［図２］（エ）・（オ）
※（オ）（Ａ）は完成図
【００１６】外装フィルムシート▲Ｂ▼に  谷折り線▲４▼  開封テープ線▲５▼  「おにぎり」配置▲６▼  を印刷し、切り込み▲７▼を設ける。［図３］（カ）
【００１７】開封テープ線▲５▼は破れ易いように破線状に型抜きする。
［図３］（カ）
【００１８】内装フィルムで包んだ「おにぎり」（Ａ）を▲６▼の位置に置き、包み込む。
［図３］（キ）
【００１９】［図４］（ク）の形状になります。
【発明の効果】
【００２０】本発明は外装フィルムの開封テープ位置を「おにぎり」の斜辺上に２か所設置する事に依り、食品本体に触れる事無く食せる。
【００２１】内装フィルムは家庭に有るポリ袋を使用（スーパーの無料のポリ袋でも可）する為安価である。
【００２２】おしぼり等は不要でＣＯＳＴ減になる。
【００２３】食する時は  ［図５］内装フィルムを抜きます。開封テープを切ります。の順で［図６］のように「おにぎり」が出ます。
【図面の簡単な説明】
【００２４】
【図１】内装フィルム作成図（ア）＋海苔仕込み図（イ）
【図２】内装フィルム海苔納まり図（ウ）＋「おにぎり」包み込み図（エ）＋内装フィルム（Ａ）完成図（オ）
【図３】外装フィルム作成図（カ）＋（Ａ）包み込み図（キ）
【図４】外装フィルム（Ｂ）完成図（ク）
【図５】製品使用方法
【図６】製品使用方法
【符号の説明】
【００２５】  ▲１▼  内装フィルムシート
▲２▼  内装フィルムシート
▲３▼  海苔
▲４▼  谷折り線
▲５▼  開封テープ
▲６▼  「おにぎり」位置
▲７▼  切り込み
（Ａ）  内装フィルム完成図
▲Ｂ▼  外装フィルムシート
（Ｂ）  外装フィルム完成図
【図１】
2020007039.tif 000003
【図２】
2020007039.tif 000004
【図３】
2020007039.tif 000005
【図４】
2020007039.tif 000006
【図５】
2020007039.tif 000007
【図６】
2020007039.tif 000008
(57)【要約】      （修正有）【課題】一斗缶の取っ手が左右どちらに倒れていても、容易に持つことが出来、一斗缶を運搬する際に指にかかる負担を軽減させた一斗缶運搬取っ手を提供する。【解決手段】握り柄と連絡部２及び連絡部３により構成する。連絡部２と連絡部３の接続部４の角度を概ね４５度にする。また、連絡部３が一斗缶取っ手にスムーズに挿入する形状にする。この連絡部３の形状が一斗缶の取っ手に直接指を触れることなく安易に素早く持ち上げられる。【選択図】図１
2020007041.tif 000002
【特許請求の範囲】
【請求項１】
図１、４の形状が一斗缶取っ手に安易に挿入し
一斗缶取っ手が左右どちらに倒れた状態でも簡単に挿入及び脱去できる形状。
【請求項２】
図２、連絡部２と連絡部３の接続部４の角度が概ね４５度にすることで一斗缶取っ手を指に触れることなく安易に挿入及び
抜去できる形状。
【発明の詳細な説明】
【技術分野】
【０００１】本発明は、一斗缶を手で持ち上げ運搬する際に指で掴んで持ち上げなければならない。また一斗缶の取っ手が左右どちらかに倒れている為取っ手に指を入れるのが面倒である。この２点を解決し楽に素早く一斗缶を運搬させることを可能にした取っ手。【０００２】この一斗缶運搬取っ手は、一斗缶の取っ手に手を触れることなく簡単に持ち上げられる。これは一斗缶の取っ手が左右どっちらに倒れていても同じように持ち上げられる。一斗缶の取っ手が倒れた状態に一斗缶取っ手と一斗缶上部平面にできる隙間に一斗缶運搬取っ手の引っ掛け部分の先端を挿入させることにより従来の素手より簡単に持ち上げられる。【０００３】この一斗缶運搬取っ手は、持ち手が円柱形で持ちやすく衝撃吸収素材を使用することによって手にかかる重さの負担を軽減する。
【図１】
2020007041.tif 000003
【図２】
2020007041.tif 000004
【手続補正書】
【提出日】平成30年8月31日(2018.8.31)
【手続補正１】
【補正対象書類名】明細書
【補正対象項目名】全文
【補正方法】変更
【補正の内容】
【発明の詳細な説明】
【技術分野】
【０００１】本発明は、一斗缶を手で持ち上げ運搬する際に指で掴んで持ち上げなければならない。また
一斗缶の取っ手が左右どちらかに倒れている為
取っ手に指を入れるのが面倒である。この２点を解決し楽に素早く一斗缶を運搬させることを可能にした取っ手。【０００２】この一斗缶運搬取っ手は、一斗缶の取っ手に手を触れることなく簡単に持ち上げられる。
これは一斗缶の取っ手が左右どちらに倒れていても同じように持ち上げられる。一斗缶の取っ手が倒れた状態に一斗缶の取っ手と一斗缶上部平面にできる隙間に一斗缶運搬取っ手の引っ掛け部分の先端を挿入させることにより、従来の素手より簡単に持ち上げられる。【０００３】この一斗缶運搬取っ手は、持ち手が円柱形で持ちやすく衝撃吸収素材を使用することによって手にかかる重さの負担を軽減する。
【図面の簡単な説明】
【０００４】
【図１】一斗缶運搬取っ手の平面図。
【図２】一斗缶運搬取っ手の側面図。
【符号の説明】
【０００５】１  握り柄。
２  連結部２。
３  連結部３。
４  接続部４。
(57)【要約】【課題】    店舗などで配布されているビニール袋は静電気等で吸着しあい開口が困難な場合、指に水をつけビニール袋を擦って開口するのが一般的であるが、ビニール袋側に水滴を付けてそこを指で擦ることで同等の開口効果を得ることが可能なビニール袋開口補助具を提供する。【解決手段】      水を溜めた水槽（５）に毛細管現象により水を吸い上げる導水綿（３）を通したハーフパイプＹ字管（１）と同管の固定及び水の補給を兼ねた蓋（４）さらに操作時に指が導水綿（３）に当たらないように取り付けた手除けカバー（２）で構成する。ビニール袋の開口側付近を窄めて手除けカバー（２）に沿って二股の谷へ押し当てることでビニール袋が手除けカバー（２）の先で導水綿（３）に接触させて水分を同袋の開口側に付着させている。水に浸したスポンジ等のような不特定多数の手を湿らすために触れるものを無くすことで、不快さ及び雑菌の繁殖などの不衛生さに関する懸念を排除できる特徴がある。【選択図】図１
2020007042.tif 000002
【特許請求の範囲】
【請求項１】
水槽（５）から導水綿（３）で吸い上げた水を静電気等で吸着し合っているビニール袋の開口側付近に付着させ、水の付着部分を擦ることで開口の補助を行うことを特徴とするビニール袋開口補助具。
【請求項２】
導水綿（３）に手が触れないように手除けカバー（２）で導水綿（３）の露出部分を制限した構造を特徴とする請求項１記載のビニール袋開口補助具。
【発明の詳細な説明】
【技術分野】
【０００１】  本発明は、開口が困難なビニール袋の開口の補助に関するものである。
【背景技術】
【０００２】  店舗など小売店等で配布されているビニール袋は静電気等で吸着しあっている場合が多く開口が困難である。この際、店舗側が設置した水に浸したスポンジなどに、指をつけて湿らせビニール袋を開口している。
【発明の概要】
【発明が解決しようとする課題】
【０００３】  不特定多数の人が直接濡れたスポンジなどに触れるので、雑菌が繁殖する可能性が高く不衛生である。また、そのスポンジなどに触れることを不快に感じる人も散見される。
本発明は以上の課題点を解決しようとするものである。
【課題を解決するための手段】
【０００４】  ビニール袋を開口する際に指ではなくビニール袋側を湿らせることで、同等の開口機能を維持しつつ、上記の課題点を解決している。
【発明の効果】
【０００５】  本発明の特徴はビニール袋の開口に際して不衛生なスポンジなどに触れる不快感を無くす点にある。また、設置側としては、スポンジなどの設置・維持に関する諸作業（清掃・交換）を削減でき、さらに、衛生管理面での評価向上が期待できる。
【図面の簡単な説明】
【０００６】
【図１】  実施形態での立体図
【図２】  ［図１］の上面図
【図３】  ［図１］の正面図
【図４】  ［図１］の側面図
【図５】  ［図１］の使用状態説明図
【発明を実施するための形態】
【０００７】  以下、本発明の実施形態について説明する。
構成について図１〜４をもとに説明する。
中空の管の上部を二つに裂きＹ字型にしたものをハーフパイプＹ字管（１）とし、下部は蓋（４）を貫通し、固定させて水槽（５）へ通している。導水綿（３）は水槽（５）の底からハーフパイプＹ字管（１）に通し、Ｙ字の谷で二つに分けてその中ほどまで通す。このままでは露出した導水綿（３）に手が触れる恐れがあるので手除けカバー（２）を付けている。
水槽（５）の容量は２００ｃｃ程度で無害な水（一般的には水道水）を満たしておく。ハーフパイプＹ字管（１）については直径が２０ｍｍ、内径は１６ｍｍ程度で二股部分の長さは５０ｍｍ程度で、Ｙ字の角度は３０度程度にする。導水綿（３）は水を吸い上げるため毛細管現象が生じ得る材質で水等に耐久性の高いものを使う。手除けカバー（２）はハーフパイプＹ字管（１）上部からＹ字の谷より１０ｍｍ程度までとして手が導水綿（３）に触れないようにする。
以上が本発明の構成である。
次に、使用方法について図５をもとに説明する。
ビニール袋（６）の開口側に近い部分を窄めて持ち、ハーフパイプＹ字管（１）の二股の谷底へ押し付けて離す。指が触れない程度に制限されているが底には水を含んだ導水綿（３）があるのでビニール袋（６）の開口部付近には水滴が付着する、その部分を擦ることで前述のスポンジ等で指を湿らせた場合と同様に開口ができる。
以上が本発明の使用方法である。
【符号の説明】
【０００８】      １    ハーフパイプＹ字管
２    手除けカバー
３    導水綿
４    蓋
５    水槽
６    ビニール袋
【図１】
2020007042.tif 000003
【図２】
2020007042.tif 000004
【図３】
2020007042.tif 000005
【図４】
2020007042.tif 000006
【図５】
2020007042.tif 000007
(57)【要約】      （修正有）【課題】ドアの小開、中開を腰を曲げず楽な姿勢で使用できるストッパーを提供する。【解決手段】弾力性のある一本の帯状素材を設け、帯状素材の長手一部をＪ字状に曲げその一端と対向する帯材の長手中間部とネジ体で接合し一本の帯状素材に輪具部と平板部を設け、ドアを開けたときドア縦枠と外枠との隙間に前記部材の形状を使い分け差し込みドアの小開、中開の状態を保持できる構造としたことを特徴とするドア簡易ストッパー。【選択図】図４
2020007889.tif 000002
【特許請求の範囲】
【請求項１】
2020007889.tif 000005
状に曲げ、その一端と対向する帯材の長手中間部とネジ体で接合して一本の帯状素材に輪具部と平板部を設け、ドアの開きに合わせ小開の時は平板部、中開の時は輪具部をドア縦枠と外枠との隙間に差し込みドアの小開、中開の状態を保持できる構造としたことを特徴とするドア簡易ストッパー。
【発明の詳細な説明】
【技術分野】
【０００１】本発明は、ドア（ドアクローザー付）を小開、中開の状態を保つ事ができるドアストッパーに関するものである。
【背景技術】
【０００２】従来、ドアの解放を保つときはドア下に装着したストッパーを倒す、ドア下枠と床との間にストッパーを差し込むなどしていた。
【発明の概要】
【発明が解決しようとする課題】
【０００３】そのため、次のような問題点があった。
（イ）ストッパーを倒す、ストッパーを差し込む動作は高齢者は腰を曲げるなど難儀であった。
（ロ）ドアを少し開けた状態での対応に片手でドアを押さえるため何かと不便であった。
本発明は、これらの問題点を解決するためになされたものである。
【課題を解決するための手段】
【０００４】
2020007889.tif 000003
状に曲げその一端と対向する帯材の長手中間部とネジ体で接合し一本の帯状素材に輪具部と平板部を設け、ドアを開けたときドア縦枠と外枠との隙間に前記部材の形状を使い分け差し込みドアの小開、中開の状態を保持できる構造とした。
以上を特徴とするドア簡易ストッパーである。
【発明の効果】
【０００５】一本の帯状素材に形成された輪具部、平板部の差し替えによりドアの開きを選択できる。小開きは平板部、中開きは輪具部をドアの縦枠と外枠との隙間に差し込む。紐で繋がったストッパーを壁等にぶら下げ設けると腰を曲げず片手で素早く楽な姿勢で使用できる。弾力性素材によりドア、ヒンジに負担はない。
【図面の簡単な説明】
【０００６】
【図１】本発明の斜視図である。
【図２】本発明の側面図である。
【図３】本発明の簡易ストッパーを紐で繋ぎドアの上部、壁等にぶら下げて使用できる全体図である。
【図４】本発明をドア外枠とドアとの隙間に差し込みドアの開を保つことができる使用例を示す図である。
【発明を実施するための形態】
【０００７】以下、本発明の実施の形態について説明する。
2020007889.tif 000004
状に曲げその一端と対向する帯材の長手中間部とネジ体で接合し一本の帯状素材に輪具部と平板部を設け、ドアを開けたときドア縦枠と外枠との隙間に前記部材の形状を使い分け差し込みドアの小開、中開の状態を保持できる構造とした。
本発明は以上のような構成である。
これを使用するときは、ドアを開けドア縦枠とドア外枠との隙間に小開のときは平板部、中開のときは輪具部を差し込み使用する。
図４に示すように壁等からぶら下げ設けると楽な姿勢で素早く簡単に使用できる。
【符号の説明】
【０００８】  １  弾力性素材
２  輪具部
３  平板部
４  ネジ体
５  紐
６  フック
７  係止フック
８  ドア
９  隙間
１０  ヒンジ
１１  ドア外枠
１２  ドアクローザー
【図１】
2020007889.tif 000006
【図２】
2020007889.tif 000007
【図３】
2020007889.tif 000008
【図４】
2020007889.tif 000009
(57)【要約】      （修正有）【課題】従来は密閉して水量を確保、そのため縦方向と両端を溶着等で密閉していたため（難しいエッジの加工もありコスト高の要因となる）、低コストで製造を可能にし（溶着加工が一方向のみで２工程省略）、水嚢の水が両端開放で、瞬時に排水可能とし（従来は時間がかかる）、両端開放で通気性があるので、乾燥メンテナンスが簡単な水嚢を提供する。【解決手段】両端を開放した状態で両端を複数回以上折り畳み、スリーブで覆い内部の水圧とスリーブの張力で密閉、止水し、水量を維持。従って、単純な一方向の溶着だけで済み加工の難度、手間、時間が大幅に短縮、これにより生産コストが大幅ダウンとなり、排水時、両端がオープンなので一気に排水が可能となり（排水希望の方向に片側をオープンする）、使用後、両端がオープンなので通気性が確保でき、再使用に向け簡単に清掃・乾燥が可能とする。【選択図】図２
2020007887.tif 000002
【特許請求の範囲】
【請求項１】
防水素材を長手方向、筒状に防水性の接着、溶着加工した加工物を両端開放の状態で保持し、止水する為に両端を複数回折り畳み、同じ大きさの同じ形状のスリーブを上から被せ、注水口から注水した密閉した内部に水が溜まることにより、水圧とスリーブの張力で両端開放口も密封状態になり止水し、内部に水を貯めることが可能となり水嚢として利用することが可能となる。
【発明の詳細な説明】
【技術分野】
【０００１】本発明は両端を開放した形状で水嚢にする方法を考案、従来の製造工程の短縮、コスト低減と乾燥メンテナンスの格段の向上が期待される。
【背景技術】
【０００２】従来、浸水対策用の水嚢は防水性を持った接着、溶着等で縦方向、横方向を密閉し、袋状にして水量を確保、そうした袋状の水嚢に関しては形状の特許の文献あり。但し、特許文献の中に筒状、箱状で両端開放の形状から水嚢として活用する方法を確認することができない。
今回の発明は筒状の両端を密閉せず、開放した形状を利用して容易に水嚢として利用できる方法を考案。
【先行技術文献】
【特許文献】
【０００３】
【特許文献１】特許２００８−０６３９２５
【特許文献２】特許６２０９７１１
【０００４】
【非特許文献１】「タイガーダム」ＳＲＧ社カタログ
【発明の概要】
【発明が解決しようとする課題】
【０００５】従来の浸水対策用の水嚢は密閉加工し袋状にして水嚢とする
そのため、生産工程が複雑でさらに使用後の水抜きに時間を要し、再利用に備え収納前の乾燥メンテナンスが構造上の問題もあり時間を要した。今回の発明は両端を解放したまま使用するので、水抜きも両端を開放できるので瞬時に可能となり、乾燥メンテナンスも両端開放で通気性が確保されているので短時間に終了し再利用のための収納にも利便性拡大。特に床下浸水等、頻繁に起りうる浸水に対して小型の水嚢を安価に製作可能となり普及が期待される。
【課題を解決するための手段】
【０００６】両端を密閉せず開放とし、両端を折り畳み、その上からスリーブを被せ、上部注水口から注水し水量を保持する。浸水対策用の水嚢は以前からあるが、密閉構造となっている。そのため、生産工程が複雑、コスト高、乾燥メンテも時間を要す。
今回の発明は長手方向に防水のために接着、溶着の加工を施し、筒状の形状に作成し両端を開放、その両端を複数回折り畳み（１回では折り畳みの力が弱いので、２回以上折り畳むことが必用）、その上にスリーブを被せ、上部の注水口から水を注水し水量を確保、水の内圧とスリーブの張力で止水が可能となり水嚢として利用できる。
【発明の効果】
【０００７】本発明は溶着生産工程が一方向のみの加工となり、従来の３工程と較べると２工程削減で工程の単純化と時間短縮が可能となり、大幅のコスト削減可能となる。【０００８】使用後、両端全面開放可能となり瞬時に水を抜くとこができ、使用後の対応が速やかに終了可能となる。従来は水を抜く時間をかなり必用とした。【０００９】両端開放で通気性が取れるため乾燥メンテナンスも単時間で可能となる。
従来は密閉式のため乾燥に時間がかかっていた。
【図面の簡単な説明】
【００１０】
【図１】「解放式水嚢」のパーツ平面図  両端を開放した筒状の形状で本体とスリーブに分かれる。
【図２】本体のたたみ方と、スリーブの使い方。手順はＮＯ．１〜ＮＯ８（本体図面の破線は折り畳みの線、スリーブ内の破線は本体を表す）  （ＮＯ４．は本体を折り畳んだ断面、ＮＯ８．はスリーブを折り畳んだ断面を表す）
【図３】水を注入した時の完成図。
【発明を実施するための形態】
【００１１】図２のＮＯ１．の本体を▲１▼を起点に▲２▼のラインを軸に▲１▼を▲３▼に合わせるように折りたたと、ＮＯ．２となる。次に▲２▼を起点に▲３▼のラインを軸に▲２▼を▲４▼に合わせるよう
に折り込んだ状態がＮＯ．３となる。ＮＯ．４はＮＯ．３の断面である。
次にＮＯ３．をスリーブの中に、折り込んだ本体を約１．５倍の位置まで挿入し、ＮＯ．５のスリーブの中に入れＮＯ．６の状態にする。ＮＯ．６の▲５▼を起点に▲６▼を軸に▲５▼を▲７▼の下に折り込んだ状態がＮＯ．７となる。ＮＯ．８はＮＯ．７の断面である。
上記の方法で止水され密閉式と同様の水嚢となる。
図３のスリーブの折り返しのうち▲８▼▲９▼と▲１２▼▲１３▼は本体の折り返し部分とスリーブが重複する。
【図１】
2020007887.tif 000003
【図２】
2020007887.tif 000004
【図３】
2020007887.tif 000005
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
防水素材を防水性の接着、溶着加工することで筒状とした加工物を両端開放の状態で保持し、止水する為に両端を複数回折り畳み、同じ大きさの同じ形状のスリーブを上から被せ、注水口から注水することで密閉した内部に水を貯めることにより、水圧とスリーブの張力で両端開放口を密閉状態とすることで止水し、内部に水を貯めることで水嚢とする水嚢の作成方法。
(57)【要約】      （修正有）【課題】モルタルを使用せず、外部から虫や埃、水の侵入を防ぐ構造を持ち、断熱効果の高い外壁用高機能レンガパネルを提供する。【解決手段】外壁用のレンガパネルに釘打ち用の穴１，２を空け、レンガパネルとレンガパネルを横に張り合わせると隙間を埋める突起物凸６とへこみ凹４がついている。【選択図】図１
2020007888.tif 000002
【特許請求の範囲】
【請求項１】
外壁用のレンガパネルに釘打ち用の穴が数個空いているのでモルタルが不要となる。
【請求項２】
レンガパネルに中板をつけたことで、パネルとパネルの間に空間がうまれ断熱効果が向上する。
【請求項３】
外部から虫や埃、水の侵入を防ぐ為、レンガパネルとレンガパネルを横に張り合わせる隙間を埋める凸凹の突起物がついているレンガパネルである。
【請求項４】
レンガパネルの上の部分が斜めに傾斜をつけているので、水や埃が溜まらないようになっている。
【発明の詳細な説明】
【技術分野】
【０００１】  本発明は、外壁用のレンガパネルに釘打ち用の穴が数個空いているので、モルタルを使用しないレンガパネルであり、虫や埃、水の侵入もなく、断熱効果の高い高機能レンガである。
【背景技術】
【０００２】  通常レンガを外壁に使用する場合、土台の上からレンガを積み上げていく。
その際、モルタルを用意してレンガとレンガの間にモルタルを塗らなければならない。【０００３】  レンガを水平、垂直に積み重ねていく為に準備（段取り）に手間がかかる。【０００４】  モルタルを用意するにもセメントまたは石灰を用意し、砂を混ぜて水で練らなければならない。
この作業に手間がかかる。またレンガを積み重ねてもモルタルが乾燥するのに時間がかかり、天候が悪ければ作業もできない。
【先行技術文献】
【特許文献】
【発明の開示】
【発明が解決しようとする課題】
【０００５】  本発明は、外壁用レンガパネルを効率よく外壁に取り付けるだけでなく断熱効果をより一層高め、外部からの虫や埃、水の侵入を防ぐ外壁用レンガパネルを提供することを課題とするものである。
【課題を解決するための手段】
【０００６】  本発明は、外壁用レンガパネルを効率よく外壁に取り付ける為に釘打ち出来るように釘打ち用の穴が空いている。断熱効果をより一層高める為にレンガパネルに中板を組み入れ、このことでパネルとパネルの間に空間がうまれるよう作られている。外部からの虫や埃、水の侵入を防ぐようにレンガパネルとレンガパネルを張り合わせる時、隙間を埋めるための凸凹の突起物がついている外壁用レンガパネルを提供するものである。
【発明の効果】
【０００７】  本発明は、モルタルを一切使用しないので低コストと工期短縮となり、レンガパネルに中板を組み入れることでパネルとパネルとの間に空間がうまれ断熱効果も向上し、外部からの虫や埃、水の侵入も防ぐことができる。
【発明を実施するための最良の形態】
【０００８】以下、図面を参照して本発明の実施形態を説明する。
なお、以下に説明する実施形態に限定されることなく、本趣旨を離脱しない範囲で、任意の構造を採用することができる。
図１は、外壁用レンガパネルの正面図であり、両側に突起物凸６とへこみ凹４がついているところに特徴がある。【０００９】図２は、外壁用レンガパネルの側面図であり、中板１０を組み入れることでレンガパネルを重ねると空間がうまれるところに特徴がある。【００１０】図３は、外壁用レンガパネルの底面図であり、両側にＶ型の突起物凸６とＶ型のへこみ凹４がついているところに特徴がある。
【図面の簡単な説明】
【００１１】
【図１】外壁用レンガパネルの正面図である。
【図２】外壁用レンガパネルの側面図である。
【図３】外壁用レンガパネルの底面図である。
【符号の説明】
【００１２】１      レンガパネル  穴１
２      レンガパネル  穴２
３      レンガパネル  傾斜面
４      側面  へこみ凹
５      正面
６      側面  突起凸
７      傾斜面
８      レンガパネル  下地板
９      側面  突起凸
１０    中板
１１    側面  へこみ凹
１２    底面
１３    側面  突起凸
【図１】
2020007888.tif 000003
【図２】
2020007888.tif 000004
【図３】
2020007888.tif 000005
(57)【要約】      （修正有）【課題】構成部材を削減すると共に、工事もせずに、シャワーバーの高さを容易に変更するために、操作が容易なシャワーハンガーを提供する。【解決手段】シャワーハンガー１の主軸端部分に設けられているシャワーフック２は、いずれの方向からもシャワーバー３の差し込みが可能となっている。シャワーハンガー１の主軸部分には、浴室等に既に設けられているシャワーフック５に直接掛けられるように凹部４が複数施されており、主軸が上下逆になっても掛けることが可能となっている。【選択図】図３
2020007886.tif 000002
【特許請求の範囲】
【請求項１】
浴室等の壁面に設けられているシャワーフック（５）を利用し、高さ調整可能なシャワーハンガー（１）であって、そのシャワーハンガー主軸端部分にシャワーフック（２）が設けられ、シャワーバー（３）をいずれの方向からでも差し込めるよう形成されている。
【請求項２】
浴室等の壁面に設けられているシャワーフック（５）を利用し、高さ調整可能なシャワーハンガー（１）であって、シャワーハンガー（１）の主軸部分には、浴室等に既に設けられているシャワーフック（５）に直接掛けられるよう凹部（４）が複数形成されている。
【請求項３】
浴室等の壁面に設けられているシャワーフック（５）を利用し、高さ調整可能なシャワーハンガー（１）であって、シャワーハンガー（１）の主軸部分に施されている複数の凹部（４）は、シャワーハンガー（１）が逆になっても浴室等の壁面に設けられているシャワーフック（５）へ掛けられるよう形成されている。
【発明の詳細な説明】
【発明の詳細な説明】
【技術分野】
【０００１】  この発明は、例えば浴室等の壁面を利用し、高さ調整可能なシャワーハンガーに関するものである。
【背景技術】
【０００２】  従来、この種のシャワーハンガーとして、天井までポールを立てたり、ポールを壁面に沿って取り付け、そのポールをスライドするシャワーフックへシャワーバーを差し込むことでシャワーの高さを調整していた。【０００３】  特許文献１に記載のものは、壁面へ取り付けたポールへシャワーフックを上下へスライドさせる構造である。
【先行技術文献】
【特許文献】
【０００４】
【特許文献１】特開２００７−３２７１７３
【発明の概要】
【発明が解決しようとする課題】
【０００５】  しかしながら、特許文献位に記載のものにおいては、シャワーを任意の位置とするため構成部材が多くなり、構造が複雑となり、取り付け工事も発生することから懸念がある。【０００６】  この発明は、上記事情に鑑みてなされたもので、構成部材を削減すること共に、工事もせずに、シャワーバーの位置を決めることができるシャワーハンガーを提供することを課題とする。
【課題を解決するための手段】
【０００７】  上記課題を解決するため、この発明のシャワーハンガーは、浴室等の壁面に設けられているシャワーフックを利用し、高さ調整可能なシャワーハンガーであって、シャワーハンガー主軸端部分にシャワーフックが設けられ、このシャワーフックへシャワーバーをいずれの方向からでも差し込めるよう形成されていることを特徴とする。（請求項１）【０００８】  シャワーハンガーの主軸部分には、浴室等に既に設けられているシャワーフックに直接掛けられるよう凹部が複数形成されている。（請求項２）【０００９】  シャワーハンガーの主軸部分に施されている複数の凹部は、シャワーハンガーが逆になっても浴室等の壁面に設けられているシャワーフックへ掛けられるよう形成されている。【０００１０】  この様な構成は、シャワーハンガーの主軸端に設けられたシャワーフックを上部にすることで高い位置でシャワーバーを差し込むことができ、高い位置からのシャワーとなる。シャワーハンガーの主軸端に設けられたシャワーフックを下部にすることで低い位置からのシャワーとなる。【０００１１】  この発明によれば、上記のように構成されているので、以下のような優れた効果が得られる。【０００１２】  通常、浴室の壁面に設けられているシャワーフックは上下２ヶ所が多く、このフックを利用すれば高い位置から低い位置までシャワーがカバーされる。【０００１３】  この発明品を求めた日から、工事もいらず家族全員が求める高さからのシャワーが可能となる。【０００１４】  転勤等になった場合でも、浴室への工事を行っていないことから原状回復もいらず、器具を移動先へ持ち込んだ日から求める位置でのシャワーが可能となる。
【図面の簡単な説明】
【００１５】
【図１】この発明に係るシャワーハンガーの斜視図である。
【図２】この発明に係るシャワーハンガーの使用状況の斜視図である。
【図３】この発明に係るシャワーハンガーの使用状況の斜視図である。
【発明を実施するための形態】
【００１６】  以下に、この発明に係るシャワーハンガー（１）の実施形態を添付図面に基づいて詳細に説明する。
【００１７】  この発明に係るシャワーハンガー（１）は、図１及び図２に示すように、浴室の壁面に設けられたシャワーフック（５）へ直接掛けられる。
【００１７】  シャワーハンガー（１）は、主軸端に設けられたシャワーフック（２）が上部で正面を向き、シャワーハンガー（１）の主軸に形成された凹部（４）を浴室壁面に設けられたシャワーフック（５）へ押し込むようにし主軸を少し下げるようにすることでシャワーフック（５）へ凹部（４）が掛かる。。
【００１８】  シャワーハンガー（１）が立った状態となり、先端にシャワーフック（２）があり、それへシャワーバー（３）を上から差し入れる。シャワーは高い位置からとなる。主軸の凹部（４）の位置を変えるだけで高い位置での高さが変えられる。
【００１９】  シャワーハンガー（１）は、主軸端に設けられたシャワーフック（２）が主軸の下部で正面を向き、シャワーハンガー（１）の主軸に形成された凹部（４）を浴室壁面に設けられたシャワーフック（５）へ押し込むようにし主軸を少し下げるようにすることでシャワーフック（５）へ凹部（４）が掛かる。
【００２０】  シャワーハンガー（１）が垂れ下がった状態となり、先端にシャワーフック（２）があり、それへシャワーバー（３）を上から差し入れる。シャワーは低い位置からの放たれる。主軸の凹部（４）の位置を変えるだけで低い位置での高さが変えられる。
【００２１】  通常、浴室に設けられているシャワーフック（５）は上下に２か所あることから、２か所で同様のことを行えば幅広い中で高さが求められる。
【符号の説明】
【００２２】１  シャワーハンガー
２  主軸端部分に設けられているシャワーフック
３  シャワーバー
４  凹部
５  シャワーフック
【図１】
2020007886.tif 000003
【図２】
2020007886.tif 000004
【図３】
2020007886.tif 000005